(57)【要約】  駆動回路（１）は、アクティブマトリックス型の表示部（２）を駆動する。駆動回路（１）のＣＯＭ信号発生部（１５）は、表示部（２）内の画素の選択期間終了後に、当該画素に対応するＣＯＭライン（共通電極）の電圧ＶＣＯＭ（ｎ）を、当該画素内の液晶に印加される電圧Ｖ（ｎ）の極性と逆方向に変化させる。これにより、大規模な追加部材を必要とせず、かつ液晶を十分にオーバーシュート駆動する。
2009113223.tif 000002
【特許請求の範囲】
【請求項１】
アクティブマトリックス型の液晶表示パネルを駆動する駆動回路であって、
上記液晶表示パネル内の画素の選択期間終了後に、当該画素に対応する共通電極の電圧を、当該画素内の液晶に印加される電圧の極性と逆方向に変化させる電圧変化手段を備えていることを特徴とする駆動回路。
【請求項２】
上記液晶表示パネル内の上記共通電極は、同極性の電圧入力を受ける複数のゲートラインごとに分かれて形成されており、
上記電圧変化手段は、上記複数のゲートラインに対応する上記共通電極ごとに上記電圧を変化させることを特徴とする請求の範囲第１項に記載の駆動回路。
【請求項３】
上記液晶表示パネル内の上記共通電極は、ゲートラインごとに個別に形成されており、
上記電圧変化手段は、上記ゲートラインに個別に対応する上記共通電極ごとに上記電圧を変化させることを特徴とする請求の範囲第１項に記載の駆動回路。
【請求項４】
上記電圧変化手段は、
上記液晶表示パネル内の上記共通電極を２つの電位で交互に駆動することを特徴とする請求の範囲第１項〜第３項のいずれか１項に記載の駆動回路。
【請求項５】
上記電圧変化手段は、
上記共通電極の電圧を、１水平走査期間内において上記逆方向に変化させることを特徴とする請求の範囲第１項〜第４項のいずれか１項に記載の駆動回路。
【請求項６】
各上記画素の選択期間終了後に、当該画素に対応する補助容量駆動ラインの電圧を、上記液晶に印加される電圧の極性と同方向に変化させる補助容量駆動ライン電圧変化手段を備えていることを特徴とする請求の範囲第１項〜第５項のいずれか１項目に記載の駆動回路。
【請求項７】
上記液晶表示パネル内の上記補助容量駆動ラインは、ゲートラインごとに個別に配置されており、
上記補助容量駆動ライン電圧変化手段は、当該ゲートラインに配置されている上記補助容量駆動ラインの上記電圧を上記同方向に個別に変化させることを特徴とする請求の範囲第６項に記載の駆動回路。
【請求項８】
アクティブマトリックス型の液晶表示パネルを駆動する駆動回路であって、
上記液晶表示パネル内の画素の選択期間終了後に、当該画素に対応する共通電極の電圧が、当該画素内の液晶に印加される電圧の極性と逆方向に変化することを特徴とする駆動回路。
【請求項９】
アクティブマトリックス型の液晶表示装置を駆動する駆動方法であって、
上記液晶表示パネル内の画素の選択期間終了後に、当該画素に対応する共通電極の電圧を、当該画素内の液晶に印加される電圧の極性と逆方向に変化させる電圧変化ステップを備えていることを特徴とする駆動方法。
【請求項１０】
アクティブマトリックス型の液晶表示パネルであって、請求の範囲第１項〜第８項のいずれか１項に記載の駆動回路が液晶パネル基板上に直接作りこまれていることを特徴とする液晶表示パネル。
【請求項１１】
アクティブマトリックス型の液晶表示パネルと、請求の範囲第１項〜第８項のいずれか１項に記載の駆動回路とを備えていることを特徴とする液晶モジュール。
【請求項１２】
請求の範囲第１０項に記載の液晶表示パネルまたは請求の範囲第１１項に記載の液晶モジュールを備えていることを特徴とする液晶表示装置。
【発明の詳細な説明】
【技術分野】
【０００１】
本発明は、液晶をオーバーシュート駆動する駆動回路、駆動方法、液晶表示パネル、液晶モジュール、および液晶表示装置に関する。
【背景技術】
【０００２】
従来、液晶表示装置における液晶の応答速度を改善する手法として、オーバーシュート駆動が良く知られている。この技術の例は、特許文献１〜３に開示されている。【０００３】
特許文献１には次の技術が開示されている；
「データ階調信号ソースから階調信号を受信し、現在のフレームの階調信号と以前のフレームの階調信号とを考慮して補正階調信号を出力するデータ階調信号補正部と；前記データ階調信号補正部から出力される前記補正階調信号に対応するデータ電圧に変えて画像信号を出力するデータドライバ部と；走査信号を順次に供給するゲートドライバー部と；前記走査信号を伝達する多数のゲートラインと、前記画像信号を伝達し、前記ゲートラインと絶縁して交差する多数のデータラインと、前記ゲートライン及び前記データラインによって囲まれた領域に形成され、それぞれ前記ゲートライン及び前記データラインに連結されているスイッチング素子を有するマトリックスの形態に配列された多数の画素とを含む液晶表示パネルとを含む液晶表示装置」。【０００４】
特許文献１の技術では、データドライバの前にデータ階調信号補正部を備えている。この補正部はオーバーシュート演算用のデータをあらかじめ記憶したフレームメモリを有している。そして入力されたデータを当該フレームメモリ内のデータを用いて補正し、補正後の信号をデータドライバに出力する。補正後の信号はオーバーシュートされた電圧を液晶層に与えるので、オーバーシュート駆動を実現できる。【０００５】
しかし特許文献１の技術は、オーバーシュート駆動の実現と引き換えに、液晶表示装置のサイズや製造コストを増大させてしまうという問題を抱えてしまった。理由は補正部がオーバーシュート駆動実現のために特別の部材を必要とすることにある。具体的には補正部の内部にあるフレームメモリおよび補正回路を設ける必要があり、これらの部材は得てしてその規模が大きくならざるを得ない。これにより回路の実装面積が増大してしまい、表示装置のサイズアップおよび製造コストの上昇をもたらしてしまう。【０００６】
そこでこれらの問題を解決すべく、大規模な追加部材を要することなくオーバーシュート駆動を実現する技術がいくつか開発されている。具体例は特許文献２および３に開示されており、以下に説明する。【０００７】
特許文献２の技術は、補助容量の駆動によって特許文献１の問題を解決している。具体的には、特許文献２には次の技術が開示されている；
「複数行の走査線と複数列のデータ線との交差に対応して設けられた画素を有し、
前記画素は、
対応する走査線と対応するデータ線の間で電気的に直列接続された画素容量およびスイッチング素子と、
対応する走査線よりも１行前に選択される走査線と、前記画素容量および前記スイッチング素子の接続点との間で電気的に介挿された補助容量とを含む電気光学装置の駆動方法であって、
前記複数行の走査線を所定の順番で選択し、
一の走査線を選択したとき、前記スイッチング素子を導通状態とさせる選択電圧を印加し、この後、前記スイッチング素子を非導通状態とさせる非選択電圧を印加し、さらに、当該走査線の次に選択される走査線に選択電圧を印加した後に、一の走査線に印加した非選択電圧をシフトさせる一方、
選択された走査線に対応する画素に対し、当該画素の階調に対応した電圧のデータ信号を、データ線を介して供給することを特徴とする電気光学装置の駆動方法」。【０００８】
この駆動方法によれば、ある画素を駆動する際に当該画素内の補助容量を駆動するので、オーバーシュート駆動を実現できる。【０００９】
特許文献３の技術も特許文献２のと同様に、補助容量の駆動によってオーバーシュート駆動を実現している。具体的には、特許文献３には次の技術が開示されている；
「ゲート線よりスイッチング素子にゲート信号が送られて選択状態となったときに、ソース線より該スイッチング素子に対応した画素電極にソース信号が送られることにより該画素電極に電荷が書き込まれて該画素電極と対向電極との間に形成される液晶容量及びそれに対応した補助容量に電荷が充電されるように構成された交流駆動方式のアクティブマトリックス型の液晶表示装置の駆動方法」。【００１０】
この駆動方法によれば、動画を表示するときの応答性に優れる。【００１１】
従来技術に係るオーバーシュート駆動の第１の例について、図２０および図２１を参照してより詳しく説明する。図２０は、従来技術に係る液晶モジュール１００の要部構成を示す図である。この図に示すように、液晶モジュール１００は駆動回路および表示部１０２を備えている。【００１２】
液晶モジュール１００の駆動回路は表示部１０２を駆動する。駆動回路は制御部１１０、駆動電圧発生部１１１、ゲート信号発生部１１２、ソース信号発生部１１３、ＣＳ信号発生部１１４、およびＣＯＭ信号発生部１１５を備えている。駆動回路には、図示しない上位回路から映像信号、同期信号、および電源電圧が入力される。これらの信号および電圧を用いることによって、駆動回路は、表示部１０２の駆動用の各種の信号を生成し、かつ表示部１０２に出力する。【００１３】
表示部１０２は駆動回路によって駆動されることにより、画像を表示する。図２０には表示部１０２の内部構造のうち特に配線関係を示す。表示部１０２は、複数のゲートライン１２２、複数のソースライン１２３、複数のＣＳライン２４、および複数のＣＯＭライン１２５を備えている。各ＣＳライン１２４は、表示部２の全面において同電圧になるように形成されている。各ＣＯＭライン１２５も、表示部２の全面において同電圧になるように形成されている。【００１４】
図２１は、従来技術の駆動回路が表示部１０２を駆動する際の、画素内の各場所における電圧（電位）の波形を示す図である。この図には、ゲートライン１２２の電圧ＶＧａｔｅ、ソースライン１２３の電圧ＶＳｏｕｒｃｅ、ＣＳライン１２４の電圧ＶＣＳ、ＣＯＭライン１２５の電圧ＶＣＯＭのそれぞれの波形を示す。【００１５】
図２１を参照して、ある水平走査期間（ｎ番目）において、ソース信号発生部１１３がソース信号をソースライン１２３に出力する。この出力タイミングにあわせて、ゲート信号発生部１１２が、矩形波のゲート信号をゲートライン１２２（ｎ）に出力する。このときゲートライン１２２（ｎ）のＶＧａｔｅ（ｎ）の波形は、まずプラス側に立ち上がり、そのまましばらく一定の値を保ったあと、最後に元の値に戻っていく。これにより画素の選択期間が終了する。【００１６】
ゲートライン１２２（ｎ）にゲート信号が入力されたことによって、当該ゲートライン１２２（ｎ）に接続されたＴＦＴのソース−ドレイン間が導通状態となって、一定のドレイン電圧ＶＤｒａｉｎがドレインに印加される。このときＣＯＭ信号発生部１１５は一定電圧のＣＯＭ信号をＣＯＭライン１２５に出力しており、このためＣＯＭライン１２５にはＶＣＯＭが印加されている。ＴＦＴのドレイン電圧ＶＤｒａｉｎと、ＣＯＭライン１２５の電圧ＶＣＯＭ（ｎ）との差の電圧Ｖが、画素の液晶に印加される。【００１７】
画素の選択期間終了後、ＣＳ信号発生部１１４は、ＶＣＳの極性を反転させる。この極性反転によって、画素は最適な印加電圧に調整されると共にオーバーシュート駆動される。【００１８】
従来技術に係るオーバーシュート駆動の第２の例について、図２２および図２３を参照して以下に説明する。図２２は、従来技術に係る液晶モジュール１００ａの要部構成を示す図である。この図に示すように、液晶モジュール１００ａは駆動回路および表示部１０２ａを備えている。【００１９】
液晶モジュール１００ａの駆動回路は表示部１０２ａを駆動する。駆動回路は制御部１１０、駆動電圧発生部１１１、ゲート信号発生部１１２、ソース信号発生部１１３、ＣＳ信号発生部１１４、およびＣＯＭ信号発生部１１５を備えている。駆動回路には、図示しない上位回路から映像信号、同期信号、および電源電圧が入力される。これらの信号および電圧を用いることによって、駆動回路は、表示部１０２ａの駆動用の各種の信号を生成し、かつ表示部１０２ａに出力する。【００２０】
表示部１０２ａは駆動回路によって駆動されることにより、画像を表示する。図２２には表示部１０２ａの内部構造のうち特に配線関係を示す。表示部１０２ａは、複数のゲートライン１２２、複数のソースライン１２３、複数のＣＳライン１２４、および複数のＣＯＭライン１２５を備えている。ＣＳライン１２４は、ゲートライン１２２ごとに個別に配置され、互いに電気的に絶縁されている。これによりＣＳ信号発生部１１４は、ＣＳライン２４を個別に駆動できる。一方、各ＣＯＭライン１２５は、表示部１０２ａの全面において同電圧になるように形成されている。【００２１】
（画素内の電圧の波形）
図２３は、従来技術の駆動回路が表示部１０２ａを駆動する際の、画素内の各場所における電圧（電位）の波形を示す図である。この図には、ゲートライン１２２の電圧ＶＧａｔｅ、ソースライン１２３の電圧ＶＳｏｕｒｃｅ、ＣＳライン１２４の電圧ＶＣＳ、ＣＯＭライン１２５の電圧ＶＣＯＭのそれぞれの波形を示す。【００２２】
図２３を参照して、ある水平走査期間（ｎ番目）において、ソース信号発生部１１３がソース信号をソースライン１２３に出力する。この出力タイミングにあわせて、ゲート信号発生部１１２が、矩形波のゲート信号をゲートライン１２２（ｎ）に出力する。このときゲートライン１２２（ｎ）のＶＧａｔｅ（ｎ）の波形は、まずプラス側に立ち上がり、そのまましばらく一定の値を保ったあと、最後に元の値に戻っていく。これにより画素の選択期間が終了する。【００２３】
ゲートライン１２２（ｎ）にゲート信号が入力されたことによって、当該ゲートライン１２２（ｎ）に接続されたＴＦＴのソース−ドレイン間が導通状態となって、一定のドレイン電圧ＶＤｒａｉｎがドレインに印加される。このときＣＯＭ信号発生部１１５は一定電圧のＣＯＭ信号をＣＯＭライン１２５に出力しており、このためＣＯＭライン１２５にはＶＣＯＭが印加されている。ＴＦＴのドレイン電圧ＶＤｒａｉｎと、ＣＯＭライン１２５の電圧ＶＣＯＭ（ｎ）との差の電圧Ｖが、画素の液晶に印加される。【００２４】
画素の選択期間終了後、ＣＳ信号発生部１１４は、ＶＣＳの極性を反転させる。この極性反転によって、画素は最適な印加電圧に調整されると共にオーバーシュート駆動される。
【特許文献１】日本国公開特許公報「特開２００１−２６５２９８号（公開日：２００１年９月２８日）
【特許文献２】日本国公開特許公報「特開２００６−１６３１０４号（公開日：２００６年６月２２日）
【特許文献３】日本国公開特許公報「特開２００３−２７９９２９号（公開日：２００３年１０月２日）
【発明の開示】
【００２５】
しかし、上述した各従来技術には、画素を十分にオーバーシュート駆動できない問題がある。そのため、大規模な追加部材を必要としない利点は確かに得られるが、これら従来のオーバーシュート駆動技術を採用したとしても、液晶の応答速度を実用上十分に速めることは現実には困難である。
【００２６】
本発明は、上記の問題点に鑑みてなされたものであり、その目的は、大規模な追加部材を必要とせず、かつ液晶を十分にオーバーシュート駆動する駆動回路、駆動方法、液晶表示パネル、液晶モジュール、および液晶表示装置を提供することにある。
【００２７】
（液晶駆動回路）
本発明に係る液晶駆動回路は、上記の課題を解決するために、
アクティブマトリックス型の液晶表示パネルを駆動する駆動回路であって、
上記液晶表示パネル内の画素の選択期間終了後に、当該画素に対応する共通電極の電圧を、当該画素内の液晶に印加される電圧の極性と逆方向に変化させる電圧変化部を備えていることを特徴としている。
【００２８】
上記の構成によれば、アクティブマトリックス型の液晶表示パネルにおいて、画素の選択期間終了後、当該画素に対応する共通電極の電圧は、画素内の液晶に印加される電圧の極性と逆方向に変化する。この電圧変化によって、液晶印加電圧の値は、現在の極性側によりいっそうソフトする。たとえば液晶印加電圧の極性がプラスならますますプラス側にシフトし、一方、極性がマイナスならますますマイナス側にシフトする。このとき、そのシフト量は、液晶表示パネルがオーバーシュート駆動されるときと同様の特性を持つ。すなわち、画素の表示状態が、液晶印加電圧が小さい場合から大きい場合に変わるとき、液晶印加電圧はプラス方向にあればプラス方向により大きくシフトし、逆にマイナス方向にあればマイナス方向により大きくシフトする。これにより液晶表示パネルはオーバーシュート駆動される。さらに、フレームメモリを使用するオーバーシュート駆動とは異なり、大規模な追加部材を必要としない。
【００２９】
また、本構成によって実現されるオーバーシュート駆動は、補助容量の電圧を変化させる場合のオーバーシュート駆動（従来技術）に比べて、液晶印加電圧の変動量（ΔＶ）の値をより大きくできる。なぜなら、前者では、スイッチング素子（ＴＦＴ）におけるゲート−ドレイン間の容量、およびソースライン−ドレイン間の容量といった寄生容量が、いずれもΔＶの発生に寄与するからである。後者ではこれらの成分はΔＶにまったく寄与しない。こうして本駆動回路は、従来技術とは異なり液晶を十分にオーバーシュート駆動できる。
【００３０】
以上のように、本駆動回路は、大規模な追加部材を必要とせず、かつ液晶を十分にオーバーシュート駆動できる効果を奏する。
【００３１】
本発明に係る駆動方法は、上記の課題を解決するために、
アクティブマトリックス型の液晶表示装置を駆動する駆動方法であって、
上記液晶表示パネル内の画素の選択期間終了後に、当該画素に対応する共通電極の電圧を、当該画素内の液晶に印加される電圧の極性と逆方向に変化させる電圧変化ステップを備えていることを特徴としている。
【００３２】
上記の構成によれば、本発明に係る駆動回路と同様の作用効果を奏する。
【００３３】
（他の駆動回路）
本発明に係る液晶駆動回路は、上記の課題を解決するために、
上記液晶表示パネル内の画素の選択期間終了後に、当該画素に対応する共通電極の電圧が、当該画素内の液晶に印加される電圧の極性と逆方向に変化することを特徴としている。
【００３４】
上記の構成によれば、大規模な追加部材を必要とせず、かつ液晶を十分にオーバーシュート駆動する駆動回路を提供できる。
【００３５】
（液晶表示パネル）
本発明に係る液晶表示パネルは、上記の課題を解決するために、
アクティブマトリックス型の液晶表示パネルであって、上記したいずれかの駆動回路が液晶パネル基板上に直接作りこまれていることを特徴としている。
【００３６】
上記の構成によれば、大規模な追加部材を必要とせず、かつ液晶を十分にオーバーシュート駆動できる液晶表示パネルを提供できる。
【００３７】
（液晶モジュール）
本発明に係る液晶モジュールは、上記の課題を解決するために、
アクティブマトリックス型の液晶表示パネルと、上記したいずれかの駆動回路とを備えていることを特徴としている。
【００３８】
上記の構成によれば、大規模な追加部材を必要とせず、かつ液晶を十分にオーバーシュート駆動する液晶モジュールを提供できる。
【００３９】
（液晶表示装置）
本発明に係る液晶表示装置は、上記の課題を解決するために、
上記した液晶表示パネルまたは液晶モジュールを備えていることを特徴としている。
【００４０】
上記の構成によれば、大規模な追加部材を必要とせず、かつ液晶を十分にオーバーシュート駆動できる液晶表示装置を提供できる。
【００４１】
本発明の他の目的、特徴、および優れた点は、以下に示す記載によって十分分かるであろう。また、本発明の利点は、添付図面を参照した次の説明で明白になるであろう。
【図面の簡単な説明】
【００４２】
【図１】第１の実施形態に係る液晶モジュールの要部構成を示す図である。
【図２】第１の実施形態に係る液晶モジュールに備えられる表示部の要部構成を示す図である。
【図３】表示部の液晶等価回路を示す図である。
【図４】駆動回路が表示部を駆動する際の、画素内の各場所における電圧（電位）の波形を示す図である。
【図５】一つの画素におけるＶＧａｔｅ（ｎ）、ＶＳｏｕｒｃｅ、ＶＣＯＭ（ｎ）、およびＶＣＳの波形をそれぞれ示す図である。
【図６】本発明におけるオーバーシュート駆動の効果を示した図である。
【図７】本発明におけるオーバーシュート駆動の効果の他の例を示した図である。
【図８】駆動回路がＣＯＭ駆動に加えてＣＳ駆動も実行する場合の、画素内の各場所における電圧（電位）の波形を示す図である。
【図９】第２の実施形態に係る液晶モジュールａの要部構成を示す図である。
【図１０】表示部の液晶等価回路を示す図である。
【図１１】駆動回路がＣＯＭ駆動に加えてＣＳ駆動も実行する場合の、画素内の各場所における電圧（電位）の波形を示す図である。
【図１２】一つの画素におけるＶＧａｔｅ（ｎ）、ＶＳｏｕｒｃｅ、ＶＣＯＭ（ｎ）、およびＶＣＳ（ｎ）の波形をそれぞれ示す図である。
【図１３】第３実施形態に係る液晶モジュールの要部構成を示す図である。
【図１４】表示部の液晶等価回路を示す図である。
【図１５】駆動回路がＣＯＭ駆動を実行する場合の、画素内の各場所における電圧（電位）の波形を示す図である。
【図１６】駆動回路がＣＯＭ駆動およびＣＳ駆動を実行する場合の、画素内の各部位における電圧（電位）の波形を示す図である。
【図１７】第４の実施形態に係る液晶モジュールの要部構成を示す図である。
【図１８】表示部の液晶等価回路を示す図である。
【図１９】駆動回路がＣＯＭ駆動およびＣＳ駆動を実行する場合の、画素内の各部位における電圧（電位）の波形を示す図である。
【図２０】従来技術に係る液晶モジュールの要部構成を示す図である。
【図２１】従来技術に係る駆動回路が表示部を駆動する際の、画素内の各場所における電圧（電位）の波形を示す図である。
【図２２】従来技術に係る他の液晶モジュールの要部構成を示す図である。
【図２３】従来技術に係る他の駆動回路が表示部を駆動する際の、画素内の各場所における電圧（電位）の波形を示す図である。
【符号の説明】
【００４３】
１    駆動回路
２    表示部（液晶表示パネル）
１０  制御部
１１  駆動電圧発生部
１２  ゲート信号発生部
１３  ソース信号発生部
１４  ＣＳ信号発生部（補助容量駆動ライン電圧変化部）
１５  ＣＯＭ信号発生部（電圧変化部）
２２  ゲートライン
２３  ソースライン
２４  ＣＳライン（補助容量駆動ライン）
２５  ＣＯＭライン（共通電極）
３０  ＴＦＴ
５０  液晶モジュール
【発明を実施するための最良の形態】
【００４４】
〔実施形態１〕
本発明に係る一実施形態について、図１〜図８を参照して以下に説明する。【００４５】
（液晶モジュール５０の構成）
図１は、本実施形態に係る液晶モジュール５０の要部構成を示す図である。この図に示すように、液晶モジュール５０は駆動回路１および表示部２を備えている。液晶モジュール５０は図示しない液晶表示装置を構成する一つのモジュールである。【００４６】
液晶モジュール５０の駆動回路１は表示部２を駆動する。駆動回路１は制御部１０、駆動電圧発生部１１、ゲート信号発生部１２、ソース信号発生部１３、ＣＳ信号発生部１５、およびＣＯＭ信号発生部１４を備えている（図１）。駆動回路１には、図示しない上位回路から映像信号、同期信号、および電源電圧が入力される。これらの信号および電圧を用いることによって、駆動回路１は、表示部２の駆動用の各種の信号を生成し、かつ表示部２に出力する。【００４７】
本実施形態の駆動回路１は、表示部２に接続されている回路基板（液晶パネル基板）上に形成されている。この形態は、駆動回路１の形成位置を液晶モジュール５０における特定の箇所に限定することを意図しない。駆動回路１は、表示部２上に実装されるＬＳＩの内部に形成されていてもよいし、あるいは表示部２に内蔵されていてもよい。【００４８】
（表示部２）
表示部２は駆動回路１によって駆動されることにより、画像を表示する。また、表示部２は、アクティブマトリックス型の液晶表示パネルである。図２は、本実施形態に係る液晶モジュール５０に備えられる表示部２の要部構成を示す図である。この図には表示部２の内部構造のうち特に配線関係を示す。表示部２は、複数のゲートライン２２、複数のソースライン２３、複数のＣＳライン２４、および複数のＣＯＭライン２５を備えている。各ゲートライン２２は互いに平行に配置されており、かつ各ソースライン２３と互いに直行する。各ソースライン２３も互いに平行に配置されている。各ＣＳライン２４および各ＣＯＭライン２５は、いずれも各ゲートライン２２と互いに平行に配置されている。各ＣＯＭライン２５は、いわゆる共通電極（対向電極）と同義である。ＣＳライン２４およびＣＯＭライン２５は、ゲートライン２２ごとに個別に配置されている。【００４９】
なお、図２に示す構成は一例にすぎず、本発明はこの構成に限定されるものではない。たとえばＣＯＭライン２５は全ゲートライン２２に対して共通する１つの電極として形成されていてもよい。また、ＣＳライン２４における電圧入力端、およびＣＯＭライン２５における電圧入力端は、ゲートライン２２における電圧入力端と同じ側であってもよい。【００５０】
（表示部２の液晶等価回路）
図３は、表示部２の液晶等価回路を示す図である。この図に示すように、表示部２はマトリックス状に配置される複数の画素４０を有している。各画素４０は、互いに隣接する２つのゲートライン２２、および互いに隣接する２つのソースライン２３に囲まれた１つの領域に相当する。画素４０は表示部２における画像表示の最小単位である。【００５１】
各画素４０は、１つのＴＦＴ３０、１つの液晶容量３１、および１つの補助容量３２を有している。以下の説明において、液晶容量３１をＣＬＣと表し、一方補助容量３２をＣＣＳと表すこともある。ＴＦＴ３０のゲートはゲートライン２２に接続され、一方、ＴＦＴ３０のソースはソースライン２３に接続されている。ＴＦＴ３０のドレインは、液晶容量３１の一端、および補助容量３２の一端にそれぞれ接続されている。液晶容量３１の他端はＣＯＭライン２５に接続されている。補助容量３２の他端はＣＳライン２４に接続されている。【００５２】
なお特に図示しないが、各画素４０は、ゲート−ドレイン間の容量Ｃｇｄ、およびソース−ドレイン間の容量Ｃｓｄも寄生的に有している。【００５３】
（信号の発生および出力）
制御部１０は、入力された映像信号および同期信号に基づいて、駆動回路１が表示部２に出力する信号の出力タイミングを算出する。算出した結果を、映像信号と共にゲート信号発生部１２、ソース信号発生部１３、ＣＳ信号発生部１４、およびＣＯＭ信号発生部１５にそれぞれ出力する。これらの部材は入力された出力タイミングおよび映像信号に基づき、自身が出力すべき信号を生成し、かつ表示部２に出力する。詳細を次に説明する。【００５４】
駆動電圧発生部１１は、入力された電源電圧を液晶の駆動電圧に変換する。具体的には入力電源電圧を、表示部２内の画素４０を駆動するのに適した駆動電圧に変換し、ゲート信号発生部１２、ソース信号発生部１３、ＣＳ信号発生部１４、およびＣＯＭ信号発生部１５にそれぞれ出力する。【００５５】
ゲート信号発生部１２は、入力された同期信号および駆動電圧に基づき、画素４０内のＴＦＴ３０のゲートに印加するゲート信号を発生させ、ゲートライン２２に出力する。【００５６】
ソース信号発生部１３は、入力された映像信号および駆動電圧に基づき、画素４０内のＴＦＴ３０のソースに印加するソース信号を発生させ、ソースライン２３に出力する。【００５７】
ＣＳ信号発生部１４は、入力された同期信号および駆動電圧に基づいて、画素４０内の補助容量３２に印加する補助容量信号を発生させ、ＣＳライン２４に出力する。【００５８】
ＣＯＭ信号発生部１５は、入力された同期信号および駆動電圧に基づいて、画素４０内の図示しないＣＯＭ電極に印加するＣＯＭ信号を発生させ、ＣＯＭライン２５に出力する。【００５９】
（ＣＯＭライン２５の個別駆動）
表示部２の各ＣＯＭライン２５は、ゲートライン２２ごとに個別に形成されており、かつ、表示部２の内部において個々のＣＯＭライン２５は他のＣＯＭライン２５と電気的に絶縁されている。たとえばゲートライン２２（ｎ）およびゲートライン２２（ｎ＋１）に挟まれた領域の各画素４０には、ＣＯＭライン２５（ｎ）が形成されている。このＣＯＭライン２５（ｎ）は、ＣＯＭライン２５（ｎ＋１）と電気的に絶縁されている。【００６０】
ＣＯＭ信号発生部１５は、ＣＯＭライン２５ごとに、独立したＣＯＭ信号をＣＯＭライン２５に出力する。これにより、各ＣＯＭライン２５の電圧を個別に独立して変化させる。言い換えると、ある特定のＣＯＭライン２５における電圧変化を、他のＣＯＭライン２５の電圧に特に影響を与えることなく実現する。【００６１】
また、ＣＯＭライン２５は、同極性の電圧入力を受ける複数のゲートライン２２ごとに分かれて形成されていてもよい。この場合、ＣＯＭ信号発生部１５は、複数のゲートライン２２に対応するＣＯＭライン２５ごとに、独立したＣＯＭ信号を出力する。これにより、複数のＣＯＭライン２５ごとに電圧を変化させる。この構成によれば、ＣＯＭ信号発生部１５がＣＯＭライン２５の電圧を変化させるのは、走査の対象となる複数の画素４０に対応する各ＣＯＭライン２５に限定される。すなわち当該画素４０以外の画素４０（走査の対象ではない画素４０）においては、対応するＣＯＭライン２５の電圧は変化せず一定に保たれたままである。これにより走査の対象ではない画素４０に対する影響を最小限に抑えられるので、表示部２をより好適に駆動できる。【００６２】
（画素４０内の電圧の波形）
図４は、駆動回路１が表示部２を駆動する際の、画素４０内の各場所における電圧（電位）の波形を示す図である。この図には、ゲートライン２２の電圧ＶＧａｔｅ、ソースライン２３の電圧ＶＳｏｕｒｃｅ、ＣＳライン２４の電圧ＶＣＳ、ＣＯＭライン２５の電圧ＶＣＯＭ、および画素４０の液晶に印加される電圧Ｖのそれぞれの波形を示す。ＶＧａｔｅの波形およびＶＣＯＭの波形については、それぞれ４行分（第ｎ行〜第ｎ＋３行）を並べて示す。【００６３】
図４を参照して、ある水平走査期間（ｎ番目）において、ソース信号発生部１３がソース信号をソースライン２３に出力する。この出力タイミングにあわせて、ゲート信号発生部１２が、矩形波のゲート信号をゲートライン２２（ｎ）に出力する。このときゲートライン２２（ｎ）のＶＧａｔｅ（ｎ）の波形は、まずプラス側に立ち上がり、そのまましばらく一定の値を保ったあと、最後に元の値に戻っていく。これにより画素４０の選択期間が終了する。【００６４】
ゲートライン２２（ｎ）にゲート信号が入力されたことによって、当該ゲートライン２２（ｎ）に接続されたＴＦＴ３０のソース−ドレイン間が導通状態となって、一定のドレイン電圧ＶＤｒａｉｎがドレインに印加される。このときＣＯＭ信号発生部１５は一定電圧のＣＯＭ信号をＣＯＭライン２５（ｎ）に出力しており、このためＣＯＭライン２５にはＶＣＯＭ（ｎ）が印加されている。ＴＦＴ３０のドレイン電圧ＶＤｒａｉｎと、ＣＯＭライン２５（ｎ）の電圧ＶＣＯＭ（ｎ）との差の電圧Ｖ（ｎ）が、画素４０の液晶に印加される。図４の例では、ＶＧａｔｅの立ち上がり直後から、液晶印加電圧Ｖ（ｎ）はプラス側に立ち上がる。液晶印加電圧の極性および振幅に応じて、画素の液晶の透過性が変化する。【００６５】
（オーバーシュート駆動）
画素４０の選択期間終了後、ＣＯＭ信号発生部１５は、ＶＣＯＭ（ｎ）の極性をＶ（ｎ）の目標印加電圧の極性と逆方向に変化させる。図４の例では、この変化のタイミングはＶＳｏｕｒｃｅが変化するタイミングと同じである（必ずしも同じである必要はない）。この逆方向変化によって、Ｖ（ｎ）がプラス方向によりいっそうシフトする。このとき、そのシフト量は、表示部２がオーバーシュート駆動されるときと同様の特性を持つ。すなわち、画素の表示状態が、液晶印加電圧が小さい場合から大きい場合に変わるとき、液晶印加電圧はプラス方向にあればプラス方向により大きくシフトし、逆にマイナス方向にあればマイナス方向により大きくシフトする。その結果、画素４０はオーバーシュート駆動される。【００６６】
なお、変化のタイミングが画素４０を対象とした１水平走査期間内であってもよく、この場合はより電圧変動の影響を大きくすることができるという効果が得られる。また、変化のタイミングはある画素４０の水平走査期間が終了したあと、当該期間に続く２水平走査期間内であることが好ましい。これにより表示部２の表示画像の乱れを防止できる。【００６７】
以上に説明した駆動方法を以下では「ＣＯＭ駆動」と呼ぶ。すなわちＣＯＭ駆動とは、画素４０の選択期間終了後に、ＣＯＭライン２５の電圧ＶＣＯＭの極性を液晶印加電圧Ｖの極性と逆方向に変化させる駆動のことである。ＣＯＭ駆動時の画素４０内の各電圧波形について、特に一つのゲートライン２２（ｎ）に接続されている画素４０のものを取り上げて、図５に示す。図５は、一つの画素４０におけるＶＧａｔｅ（ｎ）、ＶＳｏｕｒｃｅ、ＶＣＯＭ（ｎ）、およびＶＣＳの波形をそれぞれ示す図である。この図の例では、液晶印加電圧Ｖ（ｎ）の極性はプラスだとする。図５の丸で囲まれた箇所に示すように、ＶＣＯＭ（ｎ）の波形は、画素４０の選択期間終了後（すなわちＶＧａｔｅの立下り後）であり、かつ１水平走査期間の終了直前に変化する。変化の方向は、液晶印加電圧Ｖ（ｎ）の極性（プラス）と逆方向であるため、上記の原理によりオーバーシュート駆動を実現できる。【００６８】
図４に戻って、第ｎ行の各画素４０を駆動したあと、駆動回路１は、次の行（すなわち第ｎ＋１行）の各画素４０を駆動する。具体的には、第ｎの水平走査期間が終了したあと、駆動回路１は、ゲートライン２２（ｎ＋１）に接続された各画素４０を、第ｎ＋１の水平走査期間において駆動する。【００６９】
手順を次に説明する。ソース信号発生部１３は、各ソースライン２３に出力するソース信号の極性を反転させる。すなわち本実施形態の駆動回路１は表示部２をライン反転駆動する。ソース信号の極性反転タイミングに少し遅れて、ゲート信号発生部１２が矩形波のゲート信号をゲートライン２２（ｎ＋１）に出力する。このときゲートライン２２（ｎ＋１）に接続される画素４０において、液晶印加電圧Ｖ（ｎ＋１）はまずプラス側に立ち上がってから、つぎに急激にマイナス側にシフトする。すなわちＶ（ｎ＋１）の極性はマイナスである。【００７０】
第ｎ＋１の水平走査期間の終了直前において、ＣＯＭ信号発生部１５は、ＣＯＭライン２５（ｎ＋１）の電圧ＶＣＯＭ（ｎ＋１）を、液晶印加電圧Ｖ（ｎ＋１）の極性（マイナス）とは逆方向（プラス方向）に変化させる。これによりＶ（ｎ＋１）はよりいっそうマイナス側にシフトする。その結果として駆動回路１は、ゲートライン２２（ｎ＋１）を通じてオープン状態になるＴＦＴ３０を有する画素４０を、オーバーシュート駆動する。【００７１】
同様に、ＣＯＭ信号発生部１５は、ＣＯＭライン２５（ｎ＋２）の電圧ＶＣＯＭ（ｎ＋２）を、液晶印加電圧Ｖ（ｎ＋２）の極性（プラス）と逆方向（マイナス方向）に変化させる。これにより駆動回路１は、ゲートライン２２（ｎ＋２）を通じてオープン状態になるＴＦＴ３０を有する画素４０を、オーバーシュート駆動する。【００７２】
同様に、ＣＯＭ信号発生部１５は、ＣＯＭライン２５（ｎ＋３）の電圧ＶＣＯＭ（ｎ＋３）を、液晶印加電圧Ｖ（ｎ＋３）の極性（マイナス）と逆方向（プラス方向）に変化させる。これにより駆動回路１は、ゲートライン２２（ｎ＋３）を通じてオープン状態になるＴＦＴ３０を有する画素４０を、オーバーシュート駆動する。【００７３】
なお、ＣＳ信号発生部１４は、つねに一定電圧のＣＳ信号を出力し続けるので、ＣＳライン２４の電圧ＶＣＳは常に一定の値を保つ。【００７４】
以上のように、駆動回路１は、各行の画素４０をライン反転駆動しつつ、かつオーバーシュート駆動する。ＣＯＭ駆動によるオーバーシュート駆動の効果は、従来技術（ＣＳ駆動によるオーバーシュート駆動）に比べて十分に高い。そのため表示部２内の液晶をより高速に応答させることができるので、画像および動画の表示品位をより高められる。【００７５】
（オーバーシュート効果の理論的説明）
各画素４０において、ＴＦＴ３０のドレインに印加される電圧ＶＤｒａｉｎは、つぎの式（１）によって表される。【００７６】
【数１】
2009113223.tif 000003
【００７７】
式（１）において、ΔＶＣＯＭは、画素４０の選択期間終了後におけるＶＣＯＭの変化量である。また、ΔＶＣＳは、画素４０の選択期間終了後におけるＶＣＳの変化量である。ΔＶＧａｔｅは、画素４０の選択期間終了後におけるＶＧａｔｅの変化量である。ΔＶＳｏｕｒｃｅは、画素４０の選択期間終了後におけるＶＳｏｕｒｃｅの変化量である。【００７８】
一方、式（１）において、ＣＬＣは液晶容量３１の値である。ＣＣＳは補助容量３２の値である。ＣｇｄはＴＦＴ３０におけるゲート−ドレイン間および画素４０におけるゲートライン−ドレイン間の容量である。Ｃｓｄは、画素４０におけるソース−ドレイン間の容量である。【００７９】
また式（１）におけるΣＣは、一つの画素４０が有する全容量である。この値は次の式（２）によって算出される。【００８０】
【数２】
2009113223.tif 000004
【００８１】
通常、ＣＬＣの値は画素４０の表示状態によって異なる。したがって、画素４０の過渡時におけるＶＤｒａｉｎの値は、画素４０の定常時におけるＶＤｒａｉｎの値とは異なる。ここでいう過渡時は、画素４０の状態（液晶の透過率）が現フレームの目標の状態となっていない場合（前フレームと現フレームで違う階調の時など）である。一方、定常時とは、画素４０の状態（液晶の透過率）がすでに現フレームの目標の状態になっている時（ずっと同じ階調の時など）のことである。【００８２】
ここで画素４０の選択時における画素４０の液晶の容量をＣＬＣ（Ａ）、目標の電圧が印加された状態における画素４０の液晶の容量をＣＬＣ（Ｂ）とする。画素４０の定常時（状態Ｂ）では、画素４０の液晶の電圧は目標の状態にすでに到達しているので、次の式（３）が成り立つ。【００８３】
【数３】
2009113223.tif 000005
【００８４】
式（３）において、ΣＣ（Ｂ）は、目標の電圧が液晶に印加されたときの画素４０の全容量である。【００８５】
一方、画素４０の過渡時（状態Ａ）では、選択時の液晶の電圧は目標の電圧にまだ到達していないので、次の式（４）が成り立つ。【００８６】
【数４】
2009113223.tif 000006
【００８７】
式（４）において、ΣＣ（Ａ）は、目標の電圧が印加される前の画素４０の全容量である。【００８８】
式（３）のＶＤｒａｉｎと、式（４）のＶＤｒａｉｎとの差が、オーバーシュート駆動の効果として液晶印加電圧Ｖに表れる。【００８９】
以下では、画素４０の表示状態が黒色から白色に移行する場合を考える。すなわち状態Ａ＝黒色であり、かつ状態Ｂ＝白色である。液晶表示装置の表示モードがノーマリーブラックの場合、次の式（５）が常に成り立つ。【００９０】
【数５】
2009113223.tif 000007
【００９１】
上記の式（５）が成り立つことによって、次の式（６）および式（７）も成り立つ。【００９２】
【数６】
2009113223.tif 000008
【００９３】
【数７】
2009113223.tif 000009
【００９４】
ここで、液晶印加電圧Ｖの極性がプラスであるとき、ΔＶＤｒａｉｎ（Ａ）がΔＶＤｒａｉｎ（Ｂ）よりも大きければ、過渡時における液晶印加電圧は、定常時における液晶印加電圧に比べて高くなり、その結果、これによりオーバーシュート駆動の効果が得られる。ここで、ΔＶＤｒａｉｎ（Ａ）は過渡時のＶｄｒａｉｎであり、一方ΔＶＤｒａｉｎ（Ｂ）は定常時のＶｄｒａｉｎである。この差は式（８）となる。【００９５】
【数８】
2009113223.tif 000010
【００９６】
この式（８）によれば、ΔＶＣＯＭ＜０、ΔＶＣＳ＞０、ΔＶＧａｔｅ＞０、およびΔＶＳｏｕｒｃｅ＞０であれば、オーバーシュート駆動の効果が得られるのがわかる。なかでもオーバーシュート効果に最も貢献するのはΔＶＣＯＭである。すなわち同じ電圧変化であれば、ＶＣＯＭの電圧変化（すなわちΔＶＣＯＭ）がオーバーシュート駆動の効果に最も貢献する。【００９７】
逆に液晶印加電圧Ｖの極性がマイナスの場合は、ΔＶＣＯＭ＞０、ΔＶＣＳ＜０、ΔＶＧａｔｅ＜０、およびΔＶＳｏｕｒｃｅ＜０であれば、オーバーシュート駆動の効果が得られる。この場合も、オーバーシュート効果に最も貢献するのはΔＶＣＯＭである。【００９８】
以上のことをまとめると、下記の電圧変化によって、表示部２におけるオーバーシュート駆動の効果が得られる；
ＶＣＯＭの変化方向：液晶印加電圧Ｖと逆方向
ＶＣＳの変化方向：液晶印加電圧Ｖと同方向
ＶＧａｔｅの変化方向：液晶印加電圧Ｖと同方向
ＶＳｏｕｒｃｅの変化方向：液晶印加電圧Ｖと同方向。【００９９】
なお、これらの電圧変化とオーバーシュート駆動の効果との関連は、ノーマリーホワイトの表示モードで動作する液晶表示装置においても、同様に成り立つ。【０１００】
（オーバーシュート駆動の説明）
表示部２におけるオーバーシュート駆動の効果について、画素４０の状態が黒色から白色に変化する場合の例を次に説明する。すなわち状態Ａ＝黒色、状態Ｂ＝白色である。以下の例では、液晶印加電圧Ｖの極性はプラスである。簡単のため、ＶＣＯＭ（ｎ）の変動の影響のみを示す。ＶＣＯＭ（ｎ）のみの影響は式（９）となる。【０１０１】
【数９】
2009113223.tif 000011
【０１０２】
ここで、画素４０が過渡時である場合と定常時である場合とを比べる。ここでいう過渡時は、画素４０の色が前フレーム（状態Ａ）では黒色でありかつ現フレーム（状態Ｂ）では白色の場合のことである。一方、定常時とは、画素４０の色が前フレーム（状態Ａ）でも現フレーム（状態Ｂ）でも白色の場合のことである。過渡時および定常時がこれらのように定義されるとき、次の式（１０）が成り立つ。【０１０３】
【数１０】
2009113223.tif 000012
【０１０４】
式（１０）において、ＣＬＣ（Ａ）＜ＣＬＣ（Ｂ）であり、かつＶＣＯＭ＜０であるため、δΔＶＤｒａｉｎ＞０となる。したがってＶＤｒａｉｎは、定常時よりも過渡時の方が高くなる。ここで液晶にはプラスの電圧が印加されるため、ＣＯＭ駆動の場合、そうでない場合に比べて液晶印加電圧Ｖの値がより高くなる。これがオーバーシュート駆動の効果である。【０１０５】
以上のことを図６に示す。図６は、本発明におけるオーバーシュート駆動の効果を示した図である。この図において、ドレイン電圧ＶＤｒａｉｎ（ｎ）の波形のうち実線は過渡時のものであり点線は定常時のものである。また液晶印加電圧Ｖ（ｎ）の波形のうち実線は過渡時のものであり点線は定常時のものである。この図に示すように、過渡時のΔＶＤｒａｉｎ（ｎ）は定常時のΔＶＤｒａｉｎ（ｎ）よりも負の方向に大きい。このことから、過渡時のＶ（ｎ）には定常時のＶ（ｎ）よりも大きなオーバーシュート効果が得られる。【０１０６】
次に図６と逆の例を図７を参照して以下に説明する。図７は、本発明におけるオーバーシュート駆動の効果の他の例を示した図である。この図において、ドレイン電圧ＶＤｒａｉｎ（ｎ）の波形のうち実線は過渡時のものであり点線は定常時のものである。また、液晶印加電圧Ｖ（ｎ）の波形のうち実線は過渡時のものであり点線は定常時のものである。図７の例では、画素４０の過渡時に画素４０の色が白色から黒色に遷移し、一方、定常時には黒色から黒色に遷移する。すなわち状態Ａ＝白色、状態Ｂ＝黒色である。次の式（１１）が成り立つ。【０１０７】
【数１１】
2009113223.tif 000013
【０１０８】
式（１１）において、ＣＬＣ（Ｂ）＜ＣＬＣ（Ａ）であり、かつＶＣＯＭ＜０であるため、δΔＶＤｒａｉｎ＜０となる。したがって、ＶＤｒａｉｎは、定常時よりも過渡時の方が低くなる。ここで、液晶にはプラスの電圧が印加されるため、液晶印加電圧の値がより低くなる。これがオーバーシュート駆動の効果である。【０１０９】
（オーバーシュート効果の定量例）
画素４０の色が黒色から白色に移行する場合の、オーバーシュート効果の定量例について、次に説明する。状態Ａ＝黒色、状態Ｂ＝白色とすると、上述した式（８）が成り立つ。式（８）において、各パラメータがそれぞれ次の値を取るとする；
ＣＬＣ（Ａ）＝１００ｆＦ
ＣＬＣ（Ｂ）＝３００ｆＦ
ＣＣＳ＝２００ｆＦ
Ｃｇｄ＝１０ｆＦ
Ｃｓｄ＝１０ｆＦ
ΣＣ（Ａ）＝３２０ｆＦ
ΣＣ（Ｂ）＝５２０ｆＦ
ΔＶＣＯＭ＝−５Ｖ
ΔＶＣＳ＝５Ｖ
ΔＶＧａｔｅ＝５Ｖ
ΔＶＳｏｕｒｃｅ＝５Ｖ。【０１１０】
このとき、状態がＡからＢに遷移するときの各電極の電圧変動による効果は、以下のようになる；
ＶＣＯＭ＝１．３Ｖ
ＶＣＳ＝１．２Ｖ
ＶＧａｔｅ＝０．１Ｖ
ＶＳｏｕｒｃｅ＝０．１Ｖ。【０１１１】
（ＣＯＭ駆動のＣＳ駆動に対する利点）
本発明における表示部２のＣＯＭ駆動は、従来技術における表示部のＣＳ駆動に比べて、そのオーバーシュート駆動の効果がより高くなる。その理由を以下に説明する。なお、ここでいうＣＳ駆動とは、画素４０の選択期間終了後に、ＶＣＳの極性を液晶印加電圧の極性と同方向に変化させる駆動のことである。【０１１２】
上述したように、オーバーシュート駆動の効果は、画素４０が状態Ａから状態Ｂに移行する場合、上記した式（８）によって表される。ここで、液晶表示装置の表示モードがノーマリーブラックだとすると、任意の２つの階調間において、画素４０がより明るいときの液晶印加電圧ＣＬＣは、画素４０がより暗い場合の液晶印加電圧ＣＬＣよりも、常に大きくなる。そのため、液晶にプラスの電圧を印加する場合、画素４０が黒色から白色に移行するとき、δΣＶＤｒａｉｎが大きくなるほど、オーバーシュート駆動の効果がより大きくなる。【０１１３】
式（８）によれば、表示部２をＣＯＭ駆動する場合次の式（１２）が成り立つ。【０１１４】
【数１２】
2009113223.tif 000014
【０１１５】
一方、式（１２）によれば、表示部２をＣＯＭ駆動せず、代わりにＣＳ駆動する場合、次の式（１３）が成り立つ。【０１１６】
【数１３】
2009113223.tif 000015
【０１１７】
式（１２）および（１３）によれば、ＣＯＭ駆動の場合のδΣＶＤｒａｉｎには、ＣＳ駆動の場合のδΣＶＤｒａｉｎに比べて、ＣｇｄおよびＣｓｄの分だけより値が大きくなる。したがって、ΔＶＣＯＭとΔＶＣＳとが同じ値であるなら、ＣＯＭ駆動の方が、ＣＳ駆動よりもオーバーシュート駆動の効果を高くできることがわかる。なお、液晶にマイナスの電圧を印加する場合、画素４０の状態が白色から黒色に移行する場合も、ＣＯＭ駆動の方がＣＳ駆動に比べてオーバーシュート駆動の効果を高くできる。【０１１８】
（まとめ）
以上のように本発明は、大規模な追加部材を必要とせず、かつ液晶を十分にオーバーシュート駆動できる駆動回路１を提供する。また、駆動回路１、および駆動回路１によって駆動される表示部２を備えた液晶モジュール５０を提供する。さらに、この液晶モジュール５０を備えた液晶表示装置を提供する。【０１１９】
（ＣＯＭ駆動とＣＳ駆動との同時利用）
駆動回路１は、上述したＣＯＭ駆動と同時にＣＳ駆動を実行してもよい。この場合の表示部２における各部位の波形変化を図８に示す。図８は、駆動回路１がＣＯＭ駆動に加えてＣＳ駆動も実行する場合の、画素４０内の各場所における電圧（電位）の波形を示す図である。この図に示すＶＧａｔｅ、ＶＳｏｕｒｃｅ、およびＣＯＭライン２５のＶＣＯＭのそれぞれの波形は、図４のものと同一である。すなわち駆動回路１は表示部２をライン反転駆動する。一方、ＶＣＳの波形は図４のものと異なり、直流波形ではなく交流波形である。すなわち一定ではなく水平走査期間ごとに変動する。【０１２０】
（オーバーシュート駆動）
図８の例では、駆動回路１は、画素４０の選択期間終了後、ＣＯＭ駆動およびＣＳ駆動を実行する。具体的には、ＣＯＭ信号発生部１５が、ＶＣＯＭ（ｎ）の極性をＶ（ｎ）の目標印加電圧の極性と逆方向に変化させる。図８ではこの変化のタイミングはＶＳｏｕｒｃｅが変化するタイミングと同じである（必ずしも同じである必要はない）。また、ＣＳ信号発生部１４は、ＣＳライン２４のＶＣＳをＶ（ｎ）の目標印加電圧の極性と同方向に変化させる。図８ではこの変化のタイミングはＶＳｏｕｒｃｅが変化するタイミングと同じである（必ずしも同じである必要はない）。【０１２１】
これらの変化によって、Ｖ（ｎ）がプラス方向によりいっそうシフトする。このとき、そのシフト量は、表示部２がオーバーシュート駆動されるときと同様の特性を持つ。すなわち、画素の表示状態が、液晶印加電圧が小さい場合から大きい場合に変わるとき、液晶印加電圧はプラス方向にあればプラス方向により大きくシフトし、逆にマイナス方向にあればマイナス方向により大きくシフトする。これにより生じるオーバーシュート効果は上記図４の例で示したＣＯＭ駆動によるオーバーシュート効果と、同様の原理により生じるＣＳ駆動によるオーバーシュート効果の和となり、画素４０におけるオーバーシュート駆動の効果はよりいっそう高くなる。すなわち液晶の応答速度がより速くなるただし、ＣＳライン２４の電圧変化の影響は１垂直期間の電圧変化の実効値で効いてくる。本実施の形態ではＣＳライン２４は１水平期間で反転する交流駆動を行っているため、ΔＶＣＳ(実効値)はΔＶＣＳより小さくなり、ＣＳ駆動の効果もそれにつれて小さくなっている。【０１２２】
〔実施形態２〕
本発明に係る第２の実施形態について、図９〜図１２を参照して以下に説明する。なお、上述した第１の実施形態と共通する各部材には同じ符号を付し、詳細な説明を省略する。【０１２３】
（液晶モジュール５０の構成）
図９は、本実施形態に係る液晶モジュール５０ａの要部構成を示す図である。この図に示すように、液晶モジュール５０ａは駆動回路１および表示部２ａを備えている。液晶モジュール５０は図示しない液晶表示装置を構成する一つのモジュールである。【０１２４】
本実施形態の表示部２ａと、第１の実施形態に係る表示部２との構成上の差異は、ＣＳライン２４にある。表示部２ａでは、ＣＳライン２４も、ＣＯＭライン２５と同様にゲートライン２２ごとに個別に配置され、互いに電気的に絶縁されている。これによりＣＳ信号発生部１４は、ＣＳライン２４を個別に駆動できる。【０１２５】
（表示部２ａの液晶等価回路）
図１０は、表示部２ａの液晶等価回路を示す図である。この図に示すように、表示部２ａ内において、各ＣＳライン２４はゲートライン２２ごとに個別に形成されており、個々のＣＳライン２４は他のＣＳライン２４と電気的に絶縁されている。たとえばゲートライン２２（ｎ）およびゲートライン２２（ｎ＋１）に挟まれた領域の各画素４０には、ＣＳライン２４（ｎ）が形成されている。この構成によりＣＳ信号発生部１４は、ＣＳライン２４ごとに、独立したＣＳ信号をＣＳライン２４に出力することによって、各ＣＳライン２４の電圧を個別に独立して変化させる。【０１２６】
なお、図１０に示す構成は一例にすぎず、本発明はこの構成に限定されるものではない。たとえばＣＯＭライン２５は全ゲートライン２２に対して共通する１つの電極として形成されていてもよい。また、ＣＳライン２４における電圧入力端、およびＣＯＭライン２５における電圧入力端は、ゲートライン２２における電圧入力端と同じ側であってもよい。【０１２７】
（ＣＯＭ駆動とＣＳ駆動との同時利用）
駆動回路１は、上述したＣＯＭ駆動に加えてＣＳ駆動を同時に実行する。これにより実施形態１にくらべてオーバーシュート駆動に効果をより高める。表示部２ａにおける各部位の波形変化を図１１に示す。図１１は、駆動回路１がＣＯＭ駆動に加えてＣＳ駆動も実行する場合の、画素４０内の各場所における電圧（電位）の波形を示す図である。この図に示すＶＧａｔｅ、ＶＳｏｕｒｃｅ、およびＣＯＭライン２５のＶＣＯＭのそれぞれの波形は、図４のものと同一である。一方、ＶＣＳの波形は図４および図８のものと異なり、画素４０の選択期間終了後、その極性が反転する。【０１２８】
（オーバーシュート駆動）
図１１の例では、駆動回路１は、画素４０の選択期間終了後、ＣＯＭ駆動およびＣＳ駆動を実行する。具体的には、ＣＯＭ信号発生部１５が、ＶＣＯＭ（ｎ）の極性をＶ（ｎ）の極性と逆方向に変化させる。図１１ではこの変化のタイミングはＶＳｏｕｒｃｅが変化するタイミングと同じである（必ずしも同じである必要はない）。また、ＣＳ信号発生部１４は、ＣＳライン２４のＶＣＳ（ｎ）をＶ（ｎ）の極性と同方向に変化させる。図１１ではこの変化のタイミングはＶＳｏｕｒｃｅが変化するタイミングと同じである（必ずしも同じである必要はない）。【０１２９】
これら２つの電圧変化によって、Ｖ（ｎ）がプラス方向によりいっそうシフトする。このとき、そのシフト量は、表示部２ａがオーバーシュート駆動されるときと同様の特性を持つ。すなわち、画素の表示状態が、液晶印加電圧が小さい場合から大きい場合に変わるとき、液晶印加電圧はプラス方向にあればプラス方向により大きくシフトし、逆にマイナス方向にあればマイナス方向により大きくシフトする。これにより生じるオーバーシュート効果はＣＯＭ駆動によるオーバーシュート効果と、同様の原理により生じるＣＳ駆動によるオーバーシュート効果の和となり、画素４０におけるオーバーシュート駆動の効果はよりいっそう高くなる。すなわち液晶の応答速度がより速くなる。また、ＶＣＳ（ｎ）はこの後１垂直期間もとの電位に戻ることはないため、１垂直期間の実効値はΔＶＣＳと等しくなり、実施形態１に比べてオーバーシュート効果はよりいっそう高くなる。
図１１に示す波形を、特に一つのゲートライン２２（ｎ）に接続されている画素４０のものを取り上げると図１２に示す通りである。図１２は、一つの画素４０におけるＶＧａｔｅ（ｎ）、ＶＳｏｕｒｃｅ、ＶＣＯＭ（ｎ）、およびＶＣＳ（ｎ）の波形をそれぞれ示す図である。この図の例では、液晶印加電圧Ｖ（ｎ）の極性はプラスだとする。【０１３０】
図１２の丸で囲まれた箇所に示すように、ＶＣＯＭ（ｎ）の波形は、画素４０の選択期間終了後（すなわちＶＧａｔｅの立下り後）であり、かつ１水平走査期間の終了直前に変化する。変化の方向は、液晶印加電圧Ｖ（ｎ）の極性（プラス）と逆方向である。また、ＶＣＳ（ｎ）の波形は、画素４０の選択期間終了後（すなわちＶＧａｔｅの立下り後）であり、かつ１水平走査期間の終了直前に変化する。変化の方向は、液晶印加電圧Ｖ（ｎ）の極性（プラス）と同方向である。【０１３１】
〔実施形態３〕
本発明に係る第３の実施形態について、図１３〜図１６を参照して以下に説明する。なお、上述した第１の実施形態と共通する各部材には同じ符号を付し、詳細な説明を省略する。【０１３２】
（液晶モジュール５０の構成）
図１３は、本実施形態に係る液晶モジュール５０ｂの要部構成を示す図である。この図に示すように、液晶モジュール５０ｂは駆動回路１および表示部２ｂを備えている。液晶モジュール５０は図示しない液晶表示装置を構成する一つのモジュールである。【０１３３】
本実施形態の表示部２ｂと、第１の実施形態に係る表示部２との構成上の差異は、ＣＯＭライン２５にある。本実施形態の表示部２ｂでは、各ＣＯＭライン２５は、表示部２ｂの全面において同電圧になるように形成されている。すなわち各ＣＯＭライン２５は互いに短絡されている。これによりＣＯＭ信号発生部１５は、ＣＯＭライン２５の電圧を個別ではなく一様に（全て同時に）変化させる。【０１３４】
なお、ＣＯＭライン２５は一つの平坦な電極として形成されることも可能である。この場合、実施形態１および２に比べて表示部２ｂの構成が簡素になり、製造のプロセスを簡略化できる。【０１３５】
（表示部２ｂの液晶等価回路）
図１４は、表示部２ｂの液晶等価回路を示す図である。この図に示すように、表示部２ｂ内において、各ＣＯＭライン２５はゲートライン２２ごとに個別に形成されているが、互いに短絡している。そのためＣＯＭ信号発生部１５は、１つの共通したＣＯＭ信号を全ＣＯＭライン２５に同時に出力する。同様に、各ＣＳライン２４もゲートライン２２ごとに個別に形成されているが、互いに短絡している。そのためＣＳ信号発生部１４は、１つの共通したＣＳ信号を全ＣＳライン２４に同時に出力する。【０１３６】
なお、図１４に示す構成は一例にすぎず、本発明はこの構成に限定されるものではない。たとえばＣＳライン２４における電圧入力端、およびＣＯＭライン２５における電圧入力端は、ゲートライン２２における電圧入力端と同じ側であってもよい。【０１３７】
（ＣＯＭ駆動によるオーバーシュート駆動）
本実施形態の駆動回路１がＣＯＭ駆動を実行する場合の、表示部２ｂにおける各部位の波形変化を図１５に示す。図１５は、駆動回路１がＣＯＭ駆動を実行する場合の、画素４０内の各場所における電圧（電位）の波形を示す図である。この図に示すＶＧａｔｅ、ＶＳｏｕｒｃｅ、ＶＣＳ、およびＶＣＯＭのそれぞれの波形は、図４のものと同一である。【０１３８】
図１５に示すように、第ｎの水平走査期間における画素４０の選択期間終了後、ＣＯＭ信号発生部１５は、ＶＣＯＭの極性をＶ（ｎ）の極性と逆方向に変化させる。図１５の例では、この変化のタイミングはＶＳｏｕｒｃｅが変化するタイミングと同じである（必ずしも同じである必要はない）。この逆方向変化によって、Ｖ（ｎ）がプラス方向によりいっそうシフトする。その結果、通常よりも大きな値のＶ（ｎ）が画素４０内の液晶に印加されるので、画素４０はオーバーシュート駆動される。【０１３９】
（ＣＯＭ駆動およびＣＳ駆動によるオーバーシュート駆動）
本実施形態の駆動回路１がＣＯＭ駆動およびＣＳ駆動を実行する場合の、画素４０における各部位の波形変化を図１６に示す。図１６は、駆動回路１がＣＯＭ駆動およびＣＳ駆動を実行する場合の、画素４０内の各部位における電圧（電位）の波形を示す図である。この図に示すＶＧａｔｅ、ＶＳｏｕｒｃｅ、およびＶＣＯＭのそれぞれの波形は、図１５のものと同一である。一方、ＶＣＳの波形は図１５のものと異なり、直流波形ではなく交流波形である。すなわち一定ではなく水平走査期間ごとに変動する。【０１４０】
図１６の例では、駆動回路１は、画素４０の選択期間終了後、ＣＯＭ駆動およびＣＳ駆動を実行する。具体的には、ＣＯＭ信号発生部１５が、ＶＣＯＭ（ｎ）の極性をＶ（ｎ）の極性と逆方向に変化させる。図１６ではこの変化のタイミングはＶＳｏｕｒｃｅが変化するタイミングと同じである（必ずしも同じである必要はない）。また、ＣＳ信号発生部１４は、ＣＳライン２４のＶＣＳ（ｎ）をＶ（ｎ）の極性と同方向に変化させる。図８ではこの変化のタイミングはＶＳｏｕｒｃｅが変化するタイミングと同じである（必ずしも同じである必要はない）。【０１４１】
これらの電圧変化によって、Ｖ（ｎ）がプラス方向によりいっそうシフトする。このとき、そのシフト量は、表示部２ｂがオーバーシュート駆動されるときと同様の特性を持つ。すなわち、画素の表示状態が、液晶印加電圧が小さい場合から大きい場合に変わるとき、液晶印加電圧はプラス方向にあればプラス方向により大きくシフトし、逆にマイナス方向にあればマイナス方向により大きくシフトする。これにより生じるオーバーシュート効果はＣＯＭ駆動によるオーバーシュート効果と、同様の原理により生じるＣＳ駆動によるオーバーシュート効果の和となり、画素４０におけるオーバーシュート駆動の効果はよりいっそう高くなる。すなわち液晶の応答速度がより速くなる。ただし、ＶＣＯＭおよびＶＣＳの電圧変化の影響は１垂直期間の電圧変化の実効値で効いてくる。本実施の形態ではＶＣＯＭおよびＶＣＳは１水平期間で反転する交流駆動を行っているため、ΔＶＣＯＭ（実効値）はΔＶＣＯＭより小さくなり、さらにΔＶＣＳ（実効値）はΔＶＣＳより小さくなる。すなわちＣＯＭ駆動およびＣＳ駆動の効果もそれにつれて小さくなっている。【０１４２】
〔実施形態４〕
本発明に係る第４の実施形態について、図１７〜図１９を参照して以下に説明する。なお、上述した第１〜第３実施形態と共通する各部材には同じ符号を付し、詳細な説明を省略する。【０１４３】
（液晶モジュール５０の構成）
図１７は、本実施形態に係る液晶モジュール５０ｃの要部構成を示す図である。この図に示すように、液晶モジュール５０ｃは駆動回路１および表示部２ｃを備えている。液晶モジュール５０ｃは図示しない液晶表示装置を構成する一つのモジュールである。【０１４４】
本実施形態の表示部２ｃと、第３の実施形態に係る表示部２ｂとの構成上の差異は、ＣＳライン２４にある。表示部２では、ＣＳライン２４はゲートライン２２ごとに個別に配置され、互いに電気的に絶縁されている。これによりＣＳ信号発生部１４はＣＳライン２４を個別に駆動できる。【０１４５】
（表示部２の液晶等価回路）
図１８は、表示部２ｃの液晶等価回路を示す図である。この図に示すように、表示部２ｃ内において、各ＣＯＭライン２５はゲートライン２２ごとに個別に形成されているが、互いに短絡している。そのためＣＯＭ信号発生部１５は、１つの共通したＣＯＭ信号を全ＣＯＭライン２５に同時に出力する。一方、各ＣＳライン２４はゲートライン２２ごとに個別に形成されており、かつ互いに電気的に絶縁している。そのためＣＳ信号発生部１４は、ＣＳライン２４ごとに、独立したＣＳ信号をＣＳライン２４に出力することによって、各ＣＳライン２４の電圧を個別に独立して変化させる。【０１４６】
なお、図１８に示す構成は一例にすぎず、本発明はこの構成に限定されるものではない。たとえばＣＳライン２４における電圧入力端、およびＣＯＭライン２５における電圧入力端は、ゲートライン２２における電圧入力端と同じ側であってもよい。【０１４７】
（オーバーシュート駆動）
本実施形態の駆動回路１がＣＯＭ駆動およびＣＳ駆動を実行する場合の、表示部２ｃにおける各部位の波形変化を図１５に示す。図１９は、駆動回路１がＣＯＭ駆動を実行する場合の、画素４０内の各部位における電圧（電位）の波形を示す図である。この図に示すＶＧａｔｅ、ＶＳｏｕｒｃｅ、およびＶＣＯＭのそれぞれの波形は、図１６のものと同一である。【０１４８】
図１９に示すように、第ｎの水平走査期間における画素４０の選択期間終了後、ＣＯＭ信号発生部１５は、ＶＣＯＭの極性をＶ（ｎ）の極性と逆方向に変化させる。図１９の例では、この変化のタイミングはＶＳｏｕｒｃｅが変化するタイミングと同じである（必ずしも同じである必要はない）。【０１４９】
これらの電圧変化によって、Ｖ（ｎ）がプラス方向によりいっそうシフトする。このとき、そのシフト量は、表示部２ｃがオーバーシュート駆動されるときと同様の特性を持つ。すなわち、画素の表示状態が、液晶印加電圧が小さい場合から大きい場合に変わるとき、液晶印加電圧はプラス方向にあればプラス方向により大きくシフトし、逆にマイナス方向にあればマイナス方向により大きくシフトする。その結果、画素４０はオーバーシュート駆動される。【０１５０】
（ＣＯＭ駆動およびＣＯＭ駆動によるオーバーシュート駆動）
本実施形態の駆動回路１がＣＯＭ駆動およびＣＳ駆動を実行する場合の、画素４０における各部位の波形変化を図１６に示す。図１６は、駆動回路１がＣＯＭ駆動およびＣＳ駆動を実行する場合の、画素４０内の各部位における電圧（電位）の波形を示す図である。この図に示すＶＧａｔｅ、ＶＳｏｕｒｃｅ、およびＶＣＯＭのそれぞれの波形は、図１５のものと同一である。一方、各ＶＣＳの波形は図１５のものと異なり、画素４０の選択期間終了後、その極性が反転する。【０１５１】
図１９の例では、駆動回路１は、画素４０の選択期間終了後、ＣＯＭ駆動およびＣＳ駆動を実行する。具体的には、ＣＯＭ信号発生部１５が、ＶＣＯＭ（ｎ）の極性をＶ（ｎ）の極性と逆方向に変化させる。図１９ではこの変化のタイミングはＶＳｏｕｒｃｅが変化するタイミングと同じである（必ずしも同じである必要はない）。また、ＣＳ信号発生部１４は、ＣＳライン２４のＶＣＳ（ｎ）をＶ（ｎ）の極性と同方向に変化させる。図１９ではこの変化のタイミングはＶＳｏｕｒｃｅが変化するタイミングと同じである（必ずしも同じである必要はない）。【０１５２】
これらの電圧変化によって、Ｖ（ｎ）がプラス方向によりいっそうシフトする。このとき、そのシフト量は、表示部２ｃがオーバーシュート駆動されるときと同様の特性を持つ。すなわち、画素の表示状態が、液晶印加電圧が小さい場合から大きい場合に変わるとき、液晶印加電圧はプラス方向にあればプラス方向により大きくシフトし、逆にマイナス方向にあればマイナス方向により大きくシフトする。これにより生じるオーバーシュート効果は上記図４の例で示したＣＯＭ駆動によるオーバーシュート効果と、同様の原理により生じるＣＳ駆動によるオーバーシュート効果の和となり、画素４０におけるオーバーシュート駆動の効果はよりいっそう高くなる。すなわち液晶の応答速度がより速くなる。また、ＶＣＳ（ｎ）はこの後１垂直期間もとの電位に戻ることはないため、１垂直期間の実効値はΔＶＣＳと等しくなり、実施形態１に比べてオーバーシュート効果はよりいっそう高くなるただし、ＶＣＯＭは１水平期間で反転する交流駆動を行っているため、ΔＶＣＯＭ(実効値)はΔＶＣＯＭより小さくなる。これにより、ＣＯＭ駆動の効果もそれにつれて小さくなっている。【０１５３】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。【０１５４】
たとえば本発明では、画素４０内の液晶の選択期間終了後、ＴＦＴ３０のゲートの電圧ＶＧａｔｅの極性を、液晶印加電圧の極性と同方向に変化させてもよい。この場合もオーバーシュート駆動を得られる。あるいは、画素４０内の液晶の選択期間終了後、ＴＦＴ３０のソースの電圧ＶＳｏｕｒｃｅの極性を、液晶印加電圧の極性と同方向に変化させてもよい。この場合もオーバーシュート駆動の効果を得られる。【０１５５】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。【０１５６】
たとえば本発明では、画素４０内の液晶の選択期間終了後、ＴＦＴ３０のゲートの電圧ＶＧａｔｅの極性を、液晶印加電圧の極性と同方向に変化させてもよい。この場合もオーバーシュート駆動を得られる。あるいは、画素４０内の液晶の選択期間終了後、ＴＦＴ３０のソースの電圧ＶＳｏｕｒｃｅの極性を、液晶印加電圧の極性と同方向に変化させてもよい。この場合もオーバーシュート駆動の効果を得られる。【０１５７】
（共通電極の分割形成）
また、本発明に係る駆動回路では、さらに、
上記液晶表示パネル内の上記共通電極は、同極性の電圧入力を受ける複数のゲートラインごとに分かれて形成されており、
上記電圧変化部は、上記複数のゲートラインに対応する上記共通電極ごとに上記電圧を変化させることが好ましい。【０１５８】
上記の構成によれば、駆動回路が共通電極の電圧を変化させるのは、走査の対象となる複数の画素に対応する画素電極に限定される。すなわち当該画素以外の画素（走査の対象ではない画素）においては、対応する画素電極の電圧は変化せず一定に保たれたままである。これにより走査の対象ではない画素に対する影響を最小限に抑えられるので、液晶表示パネルをより好適に駆動できる。【０１５９】
（共通電極の個別形成）
また、本発明に係る駆動回路では、さらに、
上記液晶表示パネル内の上記共通電極は、ゲートラインごとに個別に形成されており、
上記電圧変化部は、上記ゲートラインに個別に対応する上記共通電極ごとに上記電圧を変化させることが好ましい。【０１６０】
上記の構成によれば、駆動回路が共通電極の電圧を変化させるのは、走査の対象となる画素に対応する画素電極に限定される。すなわち当該画素以外の画素（走査の対象ではない画素）においては、対応する画素電極の電圧は変化せず一定に保たれたままである。これにより走査の対象ではない画素に対する影響を最小限に抑えられるので、液晶表示パネルをより好適に駆動できる。【０１６１】
（２値による交流駆動）
また、本発明に係る駆動回路では、さらに、
上記電圧変化部は、上記液晶表示パネル内の上記共通電極を２つの電位で交互に駆動することが好ましい。この場合、最も簡易な構成で、上記オーバーシュート効果を奏することが可能となる。【０１６２】
（変化のタイミング）
また、本発明に係る駆動回路では、さらに、
上記電圧変化部は、
上記共通電極の電圧を、１水平走査期間内において上記逆方向に変化させることが好ましい。【０１６３】
上記の構成によれば、表示画像の乱れを防止できる。【０１６４】
（補助容量の駆動）
また、本発明に係る駆動回路では、さらに、
各上記画素の選択期間終了後に、当該画素に対応する補助容量駆動ラインの電圧を、上記液晶に印加される電圧の極性と同方向に変化させる補助容量駆動ライン電圧変化部を備えていることを特徴としている。【０１６５】
上記の構成によれば、共通電極の駆動によるオーバーシュート効果に、補助容量の駆動によるオーバーシュート効果を加味することができる。したがって、オーバーシュートの効果をより高められる。【０１６６】
（補助容量駆動ラインの個別配置）
また、本発明に係る駆動回路では、さらに、
上記液晶表示パネル内の上記補助容量駆動ラインは、ゲートラインごとに個別に配置されており、
上記補助容量駆動ライン電圧変化部は、当該ゲートラインに配置されている上記補助容量駆動ラインの上記電圧を上記同方向に個別に変化させることが好ましい。【０１６７】
上記の構成によれば、駆動回路が補助容量の電圧を変化させるのは、走査の対象となる画素に対応するものに限定される。すなわち当該画素以外の画素（走査の対象ではない画素）においては、対応する補助容量の電圧は変化せず一定に保たれたままである。これにより走査の対象ではない画素に対する影響を最小限に抑えられるので、液晶表示パネルをより好適に駆動できる。【０１６８】
以上のように、本発明に係る駆動回路は、液晶表示パネル内の画素の選択期間終了後に、当該画素に対応する共通電極の電圧を、当該画素内の液晶に印加される電圧の極性と逆方向に変化させる電圧変化部を備えているため、大規模な追加部材を必要とせず、かつ液晶を十分にオーバーシュート駆動できる効果を奏する。【０１６９】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１７０】
本発明は、アクティブマトリックス型の液晶表示装置に組み込まれる駆動回路として、幅広く利用できる。また、このような駆動回路を組み込んだ液晶表示パネル、液晶モジュール、および液晶表示装置としても利用できる。
【図１】
2009113223.tif 000016
【図２】
2009113223.tif 000017
【図３】
2009113223.tif 000018
【図４】
2009113223.tif 000019
【図５】
2009113223.tif 000020
【図６】
2009113223.tif 000021
【図７】
2009113223.tif 000022
【図８】
2009113223.tif 000023
【図９】
2009113223.tif 000024
【図１０】
2009113223.tif 000025
【図１１】
2009113223.tif 000026
【図１２】
2009113223.tif 000027
【図１３】
2009113223.tif 000028
【図１４】
2009113223.tif 000029
【図１５】
2009113223.tif 000030
【図１６】
2009113223.tif 000031
【図１７】
2009113223.tif 000032
【図１８】
2009113223.tif 000033
【図１９】
2009113223.tif 000034
【図２０】
2009113223.tif 000035
【図２１】
2009113223.tif 000036
【図２２】
2009113223.tif 000037
【図２３】
2009113223.tif 000038
【国際調査報告】
2009113223.tif 000039
2009113223.tif 000040
2009113223.tif 000041
2009113223.tif 000042